(57)【特許請求の範囲】
【請求項１】
複数の単位シートを切り取り部を境に連接してなるプリント用連続シートを移送しながら連続的にプリントする連続プリント方法であって、各単位シートに対応して設けたプリント態様指示マークの検出の有無を、検出センサを前記プリント態様指示マークの移動経路に対応して設置するか、この移動経路から外れた位置に設置するかで決定し、この検出センサの位置に応じたプリント態様指示マークの検出の有無に応じて、あらかじめ設定した複数のプリント態様から一つのプリント態様を選択し、この選択したプリント態様を前記対応する各単位シートにプリントすることを特徴とする連続プリント方法。
【発明の詳細な説明】
【０００１】
【発明の属する技術分野】
本発明は、あらかじめ設定した複数のプリント態様から一つのプリント態様を選択して連続シートにプリントする連続プリント方法及びこの方法に使用するプリント用連続シートに関し、例えば、商品の等級や大きさ、製造年月日、賞味期限、有効期限、製造者等の複数の商品関連情報から選んだいくつかの商品関連情報を組み合わせてなる複数のプリント態様から、一つのプリント態様を選択してプリントするもので、特に、二つのプリント態様から一つを選択してプリントするのに適した連続プリント方法に関する。
【０００２】
【従来の技術】
従来、あらかじめ設定した複数のプリント態様から一つのプリント態様を選択して連続シートにプリントするには、プリンタを制御するコンピュータにあらかじめ複数のプリント情報をデータ入力しておき、これらプリント情報の中から所望の情報を指定してプリンタに出力し、この出力内容をプリントするのが一般的である。
【０００３】
しかしながら、従来の一般的方法によると、高齢者のようなコンピュータ操作に不慣れな者には、プリント情報を指定することは困難で、操作に手間取るとともに、作業ミスも多いという不都合があった。
【０００４】
【発明が解決しようとする課題】
本発明は、この不都合を解消して、機械的操作によってプリント態様の指定が可能な連続プリント方法を提供することを目的とする。
【０００５】
【課題を解決するための手段】
この目的を達成するために、本発明の請求項１に記載した連続プリント方法は、複数の単位シートを切り取り部を境に連接してなるプリント用連続シートを移送しながら連続的にプリントする連続プリント方法であって、各単位シートに対応して設けたプリント態様指示マークの検出の有無を、検出センサを前記プリント態様指示マークの移動経路に対応して設置するか、この移動経路から外れた位置に設置するかで決定し、この検出センサの位置に応じたプリント態様指示マークの検出の有無に応じて、あらかじめ設定した複数のプリント態様から一つのプリント態様を選択し、この選択したプリント態様を前記対応する各単位シートにプリントすることを特徴とする。
【０００６】
【発明の実施の形態】
以下、本発明を鶏卵の包装容器に貼付するラベルを得るためのプリント用連続シートへのプリント方法に適用した場合の好適な実施形態を添付図面に基づいて説明する。ここにおいて、図１はプリント用連続シートの表面側の一部を示す概略的な斜視図、図２は図１のＡーＡ線断面図、図３はプリント態様指示マークたるラインマークと検出センサの位置関係を示すプリント用連続シートの裏面側の概略的な平面図、図４はプリント部に印字したプリント用連続シートの一部を示す概略的な平面図である。
【０００７】
まず、プリント対象となるプリント用連続シートについて説明する。図１〜図３に示すように、プリント用連続シート１は、表面全面がプリント部３となり、裏面には粘着剤４を塗布してなるラベル基材２の裏面に、剥離紙５を剥離可能に接着してなる単位シート６が、切り取り部たる切り用ミシン目７を境に連接してなる。
【０００８】
ラベル基材２は、切り用ミシン目７と平行に伸びるスリット８によって二分割され、それぞれがラベル２ａ，２ｂを形成する。前記ラベル基材２は、単位シート６毎の剥離紙５よりも一回り小さく形成し、各ラベル２ａ，２ｂの剥離紙５からの剥離を容易にしている。そして、単位シート６を区画形成する切り用ミシン目７は剥離紙５に設けられている。
【０００９】
プリント部３には、各ラベル２ａ，２ｂ毎に、大きさの等級を英文字記号で示す「種類」、収容重量を示す「重量」、収容重量の計量責任者名を示す「卵重計量責任者」、容器詰めした場所を示す「包装場所」、大きさの等級分けを行った年月日を示す「格付日」、賞味期限の年月日を示す「賞味期限」、保存の方法を示す「保存方法」、使用の方法を示す「使用方法」の各項目の商品情報のうち、所定の項目の商品情報を選択してなるプリント態様で印字する。
【００１０】
すなわち、上述した各項目の商品情報のうち、「種類」、「重量」、「卵重計量責任者」、「包装場所」、「賞味期限」、「保存方法」、「使用方法」の各商品情報からなるプリント態様を各ラベル２ａ，２ｂにプリントする第１プリント態様と、「種類」、「重量」、「卵重計量責任者」、「包装場所」、「賞味期限」、「保存方法」、「使用方法」の各商品情報からなるプリント態様をラベル２ａにプリントし、「種類」、「重量」、「卵重計量責任者」、「包装場所」、「格付日」の各商品情報からなるプリント態様をラベル２ｂにプリントする第２プリント態様（図４参照）とがあらかじめ設定されており、これら二つのプリント態様の何れか一方を選択してプリントするよう構成している。
【００１１】
図３に示すように、プリント用連続シート１の裏面には、各切り用ミシン目７に沿ってプリント態様指示マークたる線状のラインマーク９を、剥離紙５の裏面にプリントして設けている。このラインマーク９は、後述する検出センサＳの検出位置に対応する第１センサ領域に設けられたもので、プリント用連続シート１の裏面の幅方向を二分する一方側の部分（図３の下側部分）を占めている。そして、プリント用連続シート１の裏面の幅方向残り部分が、検出センサＳの非検出位置に対応する第２センサ領域である。
【００１２】
同じく図３に示すように、ラインマーク９を検出する検出センサＳは、その設置位置を、第１センサ領域に対応するラインマーク９の移動経路に対応する位置（図３実線位置）と、第２センサ領域に対応するラインマーク９の移動経路から外れた位置（図３仮想線位置）とに、設定可能である。そして、ラインマーク９を検出した場合には第２プリント態様を選択してプリント部３にプリントし、ラインマーク９を検出しない場合には第１プリント態様を選択してプリント部３にプリントするよう構成している。
【００１３】
続いて、プリント動作について説明する。検出センサＳを第１センサ領域に対応する図３実線位置に設置した場合には、この検出センサＳはプリント用連続シート１の移送にともなって移動してくるラインマーク９を検出する。検出センサＳからプリンタ（図示せず）にラインマーク９の検出信号が入力すると、プリンタは、検出したラインマーク９が設けられた切り用ミシン目７に続いて移送されてくる単位シート６に対して、図４に示すように、第２プリント態様を各ラベル２ａ，２ｂのプリント部３にプリントする。
【００１４】
一方、検出センサＳを第２センサ領域に対応する図３仮想線位置に設置した場合には、この検出センサＳはラインマーク９を検出しない。この場合には、プリンタ（図示せず）は、移送されてきた次の単位シート６に対して、第１プリント態様を各ラベル２ａ，２ｂのプリント部３にプリントする。
【００１５】
このようにして、検出センサＳがラインマーク９を検出した場合と、しない場合とに応じて、単位シート６の各ラベル２ａ，２ｂのプリント部３に、あらかじめ設定した第１、第２の各プリント態様の一方を選択してプリントすることができる。そして、プリントした各ラベル２ａ，２ｂは、剥離紙５から剥離して、所定の包装容器の側面等の適所に、裏面の粘着剤４で貼着することができる。
【００１６】
なお、本発明は上述した実施形態に限られるものではなく、例えば、ラベル基材２はスリット８によって二つのラベル２ａ，２ｂに区画する必要はない。また、プリント用連続シート１のプリント部３はラベル２ａ，２ｂの表面に限らず、プリント用連続シート１自体の表面でもよい。この場合には、ラインマーク９もプリント用連続シート１自体の裏面側に設けることになる。そして、このプリント用連続シート１自体にプリント部３を設けた場合には、各単位シート６は粘着剤を有しないので、包装容器内に鶏卵とともに収容することになる。さらに、プリント態様指示マーク９の形状も線状に限らず、その設ける位置も切り用ミシン目７に沿った位置に限らない。。
【００１７】
【発明の効果】
このようにして、本願の請求項１の発明である連続プリント方法によれば、検出センサの位置を変えるという機械的操作によって、プリント態様指示マークの検出の有無を決定するので、コンピュータ操作に不慣れな高齢者でも容易にプリント態様を選択してプリントできるという効果を奏する。
【図面の簡単な説明】
【図１】  プリント用連続シートの表面側の一部を示す概略的な斜視図。
【図２】  図１のＡーＡ線断面図。
【図３】  ラインマークと検出センサとの位置関係を示すプリント用連続シートの裏面側の概略的な平面図。
【図４】  プリント部に印字したプリント用連続シートの一部を示す概略的な平面図。
【符号の説明】
１      プリント用連続シート
２      ラベル基材
２ａ，２ｂ      ラベル
３      プリント部
４      粘着剤
５      剥離紙
６      単位シート
７      切り用ミシン目
８      スリット
９      ラインマーク
Ｓ      検出センサ
【図１】
0003827452.tif 000002
【図２】
0003827452.tif 000003
【図３】
0003827452.tif 000004
【図４】
0003827452.tif 000005